【事件の表示】
　特願２０１０−５４７２９４「Ｘ線検出器における直接検出現象の抑制」拒絶査定不服審判事件〔平成２１年　９月　３日国際公開、ＷＯ２００９／１０７０４５、平成２３年　４月２８日国内公表、特表２０１１−５１３７０２〕について、次のとおり審決する。
【結　論】
　本件審判の請求は、成り立たない。
【理　由】
１　手続の経緯
　本件出願は、２００９年２月１９日（パリ条約による優先権主張外国庁受理２００８年２月２５日、欧州）を国際出願日とする出願であって、平成２５年３月１５日付けで拒絶査定がなされた。
　本件は、これを不服として、同年７月１８日に請求された拒絶査定不服審判であって、請求と同時に手続補正がなされ、その後、当審における平成２６年８月２９日付けの拒絶理由通知に対して、平成２７年３月２日付けで意見書が提出されるとともに、手続補正がなされたものである。
 　 
２　本願発明 
　本願の請求項１に係る発明（以下「本願発明」という。）は、平成２７年３月２日付けの手続補正（以下「本件補正」という。）によって補正された特許請求の範囲の請求項１に記載された次のとおりのものと認める。 
「【請求項１】
　ピクセル配置のアレイであって、各々のピクセル配置が、入射放射線を放射線収集装置出力信号に変換するための少なくとも１つの放射線収集装置を有するアレイ、
　複数の放射線収集装置の前記放射線収集装置出力信号から導き出される信号をそれぞれの出力素子に供給するための回路、
を有するX線検出装置であり、
　前記回路は、
各々のピクセル配置が、フォトダイオード又は電荷収集電極である１つの放射線収集装置を有し、
スイッチング配置が、１つの読出しラインへの複数のピクセル配置の接続を生じさせるようにそれぞれ動作可能な選択ラインと、検出器ピクセルのアレイの隣り合う読出しラインを接続するように動作可能なスイッチと、を有し、
各々のピクセル配置が、前記放射線収集装置の出力信号を受信するゲートと、選択ラインが活性化されると読出しラインに接続されるソースとを備えたトランジスタを含み、
接続された隣り合う読出しラインが、前記スイッチによって少なくとも１つの出力素子に接続され、選択ラインが活性化されることにより、隣り合う読出しラインからの少なくとも２つの放射線収集装置の収集装置信号から導き出される信号が前記出力素子に供給され、
　選択ラインが活性化され、隣り合う読出しラインのペアが、それらの間の前記スイッチによって接続され、ペアの少なくとも２つの放射線収集装置の収集装置信号から導き出される信号が１つの出力素子に供給される場合に、前記ペアの一方におけるピクセルに寄生直接検出現象が生じると、前記寄生直接検出現象が生じたピクセルの前記放射線収集装置が放電して、当該放射線収集装置に接続されたトランジスタのゲート電位が低下し、それにより寄生直接検出現象が生じたピクセルのトランジスタからの出力信号は、ペアの他方におけるピクセルのトランジスタよりも前記出力素子への寄与が小さくなる、Ｘ線検出装置。」 
　 
３　引用刊行物
　これに対して、当審における平成２６年８月２９日付けの拒絶の理由に引用された、本願の出願前に頒布された「特開２００１−１８９８９１号公報」（以下「引用例」という。）には、次の事項が記載されている。ただし、下線は当審で付した。
ａ　発明の詳細な説明の記載
「【０００１】
【発明の属する技術分野】本発明は、ローとコラムに配置され、放射の入力量に従って電荷を発生し、関連するセンサ要素のスイッチはアドレス線を介して活性化され且つ、増幅器及び伝達手段により更に処理されために、それぞれの活性化されたセンサ要素の電荷は読出し線を介して排出される、光検知又はＸ線検知センサ要素のマトリクスを有するセンサのセンサ要素を読み出す方法に関する。本発明は、対応するセンサと、Ｘ線画像を形成するために、物体に照射するためのＸ線ビームを放出するＸ線源と、前記Ｘ線画像から電気的画像信号を発生するための検出器を有するＸ線試験装置にも関する。」
「【００１２】提案された方法は、画像内で、ビニングブロックのサイズの変更が可能である。
個々のセンサ要素が低い信号対ノイズ比の領域内では、ノイズはビニングにより（２ｘ２，３ｘ３又は、非対称の）大きな領域に亘って減少され、これにより信号対ノイズ比を高め
個々のセンサ要素が、既に高い信号対ノイズ比の領域内では、小領域（２ｘ２）にわたるビニング又は、ビニング無し（１ｘ１）が選択され、これにより高空間解像度を維持できる
【００１３】全体的に、
望ましくないノイズ
【００１４】そのような可変のプログラム可能なビニングパターンは、スイッチ要素の第１のユニットは活性化手段と電気的センサスイッチの間に配置され、スイッチ要素の第２のユニットは電気的センサスイッチと増幅器の間に配置されることを特徴とするセンサの手段により達成される。更に、スイッチング動作により、任意の数のスイッチ要素又は読出し線を、毎回、少なくとも１つの隣接する線に接続するために、スイッチ要素のスイッチング動作を制御するためのシステムが設けられる。全体的に、制御システムは、どのスイッチ要素がスイッチ動作を行うかを決定し、そして、これゆえ、どの対応するセンサローとセンサコラムが、隣接するロー又はコラムと或は、通例の方法のロー又はコラム内で厳密に、共に読み出されるかを決定する。」
「【００２０】
【発明の実施の形態】図１は、センサ要素のスイッチを活性化する２つのシフトレジスタを伴うＸ線センサマトリクス１の回路図を示す。図２は、センサ要素の活性化された電気的スイッチを読み出すための２つのシフトレジスタを伴うＸ線センサマトリクスの回路図を示す。
【００２１】図１は、
ローとコラムに配置されたセンサマトリクス１
【００２２】
各画素に対して、フォトセンサ２、キャパシタンス及び、スイッチ３を含むＸ線検知センサが設けられ
フォトセンサは図１と図２においてフォトダイオード２により表される
フォトダイオード
放射強度の測定値
電気的スイッチを介して読み出すことができる
アドレス線４から８が、センサマトリクスの各ローに設けられ
【００２３】図１に部分的に示されているマトリクスの各コラムに対して、それぞれの読出し線９，１０，１１が設けられ、読出し線に続く回路は、図２に明らかにされている。図２の参照番号９から１３により示される
読出し線は、出力信号をマルチプレクサ１９へ伝える、それぞれの増幅器１４から１８に接続される
【００２４】全体の検出器に亘って同一のビニングパターンが排他的に選択される従来のセンサマトリクスに対して、本発明に従ったセンサマトリクスは、先行する又は後続する回路と共に、局部的に選択できる又は、プログラム可能なビニングパターン即ち、一定でないビニングパターンに従って読み出すことを可能とする。
【００２５】このために、図１の実施例では、センサマトリクス１は、２つのシフトレジスタ２０，２１が先行する。シフトレジスタ２０は活性化手段とも呼ばれ、複数の連続して接続されたメモリ又は、シフトレジスタ要素２２から２６よりなリ、その数はセンサマトリクスのローの数に対応する。回路は、シフトパルス（この場合データクロックＤＣにより示される）によりすべてのメモリはその情報（データ入力に対するＤＩ）をそれぞれの隣接メモリへシフトする様に構成される。シフトレジスタにはスイッチ要素２７から３０が続く。本実施例では、アドレス線５から８はそのようなスイッチ要素を含む。しかし、アドレス線４は前の線を有しないので、スイッチ要素は不要である。
【００２６】アドレス線はセンサ要素の対応するローに直接接続されるか、又は、個々のアドレス線スイッチ要素により割り込まれ、関連する前のアドレス線への接続が確立される。少なくとも２つの隣接するローのセンサ要素を、１つの入力する信号により活性化できる。本実施例では、第５線（８）は第４アドレス線（７）に接続され、第４線（７）は第３アドレス線（６）に接続され、第３線（６）は第２アドレス線（５）に接続され、第２線（５）は第１アドレス線（４）に接続される。この結果第１のアドレス線（４）の情報は、ロー１から５のセンサ要素を活性化する。
【００２７】任意の数の関連するローを、スイッチ要素のスイッチング処理の任意の制御により活性化できる。スイッチ要素２７から３０は、更なるシフトレジスタ２１により制御可能である。関連するアドレス線に亘ってスイッチングするための制御命令の形式の情報（制御入力ＣＩ）は、シフト周波数（制御クロックＣＣ）の間隔で出力される。
【００２８】増幅器５０から５４は、レジスタとセンサマトリクスの間のアドレス線に挿入される。代わりに、レベル変換器も使用できる。そのような変換器は、純粋にディジタル制御信号の小出力電圧（例えば、シフトレジスタについては５Ｖ）を、通常は２０から２５Ｖ必要なＴＦＴを制御するのに要する値へ上げる。
【００２９】アドレス線内のスイッチ要素２７から３０又は活性化推移値要素は、ＴＦＴである。反対の制御を伴う２重構造を使用して、これらのトランジスタはそれぞれのスイッチを実行する。この場合、活性化線の（アナログ）電圧は、増幅器又は、レベル変換器の後ろでスイッチされうる。図１に示す実施例では、増幅器５０から５４はスイッチ要素２７から３０に続く。代わりに、出力ディジタル信号が増幅器又はレベル変換器により必要な振幅に上げられる２入力ディジタルマルチプレクサを使用できる。
【００３０】例え電荷は変更無しにセンサ要素から転送されるので、ば、ＴＦＴ又は、（ＭＯＳ）ＦＥＴのような、純粋なアナログスイッチのみ、読出し線のスイッチ要素３１から３４として適する。
【００３１】（図２の）読出し線に対するスイッチ要素のスイッチング動作の制御は、図１を参照して説明したのと同じである。図２は、再びセンサマトリクス１を部分的に示し、３つのローと５つのコラムの場合である。既知の方法に従って、各コラムのセンサ要素の電荷は、それぞれの増幅器この場合は１４から１８に接続された、読出し線９から１３により、読み出される。個々の増幅器の出力は、マルチプレクサ１９内で結合され、出力信号として出力される。本発明に従ったによる更なる展開により、
スイッチ要素３１から３４
スイッチング動作により、第２の読出し線（１０）を第１の読出し線（９）に接続でき、第３の読出し線（１１）を第２の読出し線（１０）に接続できる。収集された電荷の総量は、第１の読出し線（９）にいよってのみ、増幅器へ与えられる
【００３２】個々のスイッチ要素３１から３４は、シフトレジスタ３５により制御できる。制御自体は、アドレス線の説明した制御に類似している。
【００３３】図３は、本発明に従ったＸ線センサを含む検出器４２が設けられた
医療用Ｘ線検査装置４１
【００３４】
【発明の効果】本発明により、低入力Ｘ線量にも関わらず、適切な量の電荷を得ることができ、かつこれゆえに、画像を形成するための適切な電気的信号が得られる方法及びセンサを提供することできる。」
ｂ　図面の記載
「【図１】
　　　　　　　　　　　　　　　　　　　　　　　　　　　　　　　　」
「【図２】
　　　　　　　　　　　　　　　　　　　　　　　　　　　　　　　　」
　
ｃ　上記ａ及びｂの記載事項の考察
　上記ｂの記載事項の【図１】及び【図２】からすると、引用例には、各画素の電気スイッチ３は、アドレス線４〜８に接続されたゲートと、読み出し線９〜１３に接続されたソース／ドレインとを備えることが記載されている。
　また、引用例には、「任意の数の関連するローを、スイッチ要素のスイッチング処理の任意の制御により活性化できる。スイッチ要素２７から３０は、更なるシフトレジスタ２１により制御可能である。関連するアドレス線に亘ってスイッチングするための制御命令の形式の情報（制御入力ＣＩ）は、シフト周波数（制御クロックＣＣ）の間隔で出力される」（【００２７】）と記載され、「個々のスイッチ要素３１から３４は、シフトレジスタ３５により制御できる。制御自体は、アドレス線の説明した制御に類似している」（【００３２】）と記載されており、これらの記載及び技術常識を鑑みると、引用例の図２に記載された、シフトレジスタ要素３６〜４０を接続しさらにスイッチ要素３１〜３４への分岐（図２では、点線）を有するラインは、スイッチ要素３１〜３４を制御するものであると認められる。
　
ｄ　引用発明
　上記ａ及びｂの記載事項並びに上記ｃの考察によると、引用例には、以下の発明（以下「引用発明」という。）が記載されていると認められる。
「個々のセンサ要素が低い信号対ノイズ比の領域内では、望ましくないノイズはビニングにより（２ｘ２，３ｘ３又は、非対称の）大きな領域に亘って減少され、これにより信号対ノイズ比を高め、個々のセンサ要素が、既に高い信号対ノイズ比の領域内では、小領域（２ｘ２）にわたるビニング又は、ビニング無し（１ｘ１）が選択され、これにより高空間解像度を維持できる、ローとコラムに配置されたセンサマトリックス１を有する医療用Ｘ線検査装置４１であって、
　各画素に対して、フォトセンサ２，キャパシタンス及び電気スイッチ３を含むＸ線検知センサが設けられ、
　フォトセンサはフォトダイオード２であり、
　フォトダイオード２の放射強度の測定値を電気スイッチ３を介して読み出すために、アドレス線４〜８がセンサマトリクス１の各ローに設けられ、センサマトリクス１の各コラムに読み出し線９〜１３に設けられ、読出し線９〜１３が増幅器１４〜１８に接続され、増幅器１４〜１８は出力信号をマルチプレクサ１９へ伝え、
　各画素の電気スイッチ３は、アドレス線４〜８に接続されたゲートと、読み出し線９〜１３に接続されたソース／ドレインとを備え、
　シフトレジスタ要素３６〜４０を接続しさらにスイッチ要素３１〜３４への分岐を有するラインは、スイッチ要素３１〜３４を制御するものであり、
　スイッチ要素３１〜３４のスイッチング動作により、第２の読出し線１０を第１の読出し線９に接続でき、第３の読出し線１１を第２の読出し線１０に接続でき、収集された電荷の総量は、第１の読出し線９によってのみ、増幅器１４へ与えられる医療用Ｘ線検査装置４１。」
 　 
４　対比 
　以下、本願発明と引用発明とを対比する。
（１）引用発明の「画素」、「フォトセンサ２」は、本願発明の「ピクセル配置」、「放射線収集装置」に相当する。
　そうすると、引用発明の「ローとコラムに配置されたセンサマトリックス１を有」し、「各画素に対して、フォトダイオードであるフォトセンサ２，キャパシタンス及び電気スイッチ３を含むＸ線検知センサが設けられ」た構成は、本願発明の「ピクセル配置のアレイであって、各々のピクセル配置が、入射放射線を放射線収集装置出力信号に変換するための少なくとも１つの放射線収集装置を有するアレイ」「を有する」構成に相当する。
　
（２）引用発明の「増幅器１４〜１８」は、本願発明の「出力素子」に相当する。
　そうすると、引用発明は、「フォトダイオード２の放射強度の測定値を電気スイッチ３を介して読み出すために、アドレス線４〜８がセンサマトリクス１の各ローに設けられ、センサマトリクス１の各コラムに読み出し線９〜１３に設けられ、読出し線９〜１３が増幅器１４〜１８に接続され、増幅器１４〜１８は出力信号をマルチプレクサ１９へ伝え、各画素の電気スイッチ３は、アドレス線４〜８に接続されたゲートと、読み出し線９〜１３に接続されたソース／ドレインとを備え」たものであるから、本願発明の「複数の放射線収集装置の前記放射線収集装置出力信号から導き出される信号をそれぞれの出力素子に供給するための回路」「を有する」構成に相当する構成を有するものである。
　
（３）引用発明の「フォトダイオード２」は、本願発明の「フォトダイオード又は電荷収集電極」に相当する。
　また、引用発明は、「各画素に対して、フォトセンサ２」「が設けられ」たものである。
　そうすると、引用発明の「フォトセンサはフォトダイオード２であ」る構成は、本願発明の「回路は、各々のピクセル配置が、フォトダイオード又は電荷収集電極である１つの放射線収集装置を有」する構成に相当する。
　
（４）引用発明の「シフトレジスタ要素３６〜４０を接続しさらにスイッチ要素３１〜３４への分岐を有するライン」、「スイッチ要素３１〜３４」、「読出し線９〜１３」は、本願発明の「選択ライン」、「スイッチ」、「読み出しライン」に相当する。
　そうすると、引用発明の「シフトレジスタ要素３６〜４０を接続しさらにスイッチ要素３１〜３４への分岐を有するラインは、スイッチ要素３１〜３４を制御するものであり、スイッチ要素３１〜３４のスイッチング動作により、第２の読出し線１０を第１の読出し線９に接続でき、第３の読出し線１１を第２の読出し線１０に接続でき、収集された電荷の総量は、第１の読出し線９によってのみ、増幅器１４へ与えられる」構成は、本願発明の「回路は、」「スイッチング配置が、１つの読出しラインへの複数のピクセル配置の接続を生じさせるようにそれぞれ動作可能な選択ラインと、検出器ピクセルのアレイの隣り合う読出しラインを接続するように動作可能なスイッチ」「を有し、」「接続された隣り合う読出しラインが、前記スイッチによって少なくとも１つの出力素子に接続され、選択ラインが活性化されることにより、隣り合う読出しラインからの少なくとも２つの放射線収集装置の収集装置信号から導き出される信号が前記出力素子に供給され」る構成に相当する。
　
（５）引用発明の「電気スイッチ３」は、本願発明の「トランジスタ」に相当する。
　そうすると、引用発明の「各画素の電気スイッチ３は、アドレス線４〜８に接続されたゲートと、読み出し線９〜１３に接続されたソース／ドレインとを備え」た構成と、本願発明の「各々のピクセル配置が、前記放射線収集装置の出力信号を受信するゲートと、選択ラインが活性化されると読出しラインに接続されるソースとを備えたトランジスタを含」む構成とは、「各々のピクセル配置が、前記放射線収集装置の出力信号を受信し、選択ラインが活性化されると読出しラインに接続されるトランジスタを含」む構成で共通する。
　
（６）引用発明の「医療用Ｘ線検査装置４１」は、本願発明の「Ｘ線検出装置」に相当する。
　
　上記（１）ないし（６）から、本願発明と引用発明は、
「ピクセル配置のアレイであって、各々のピクセル配置が、入射放射線を放射線収集装置出力信号に変換するための少なくとも１つの放射線収集装置を有するアレイ、
　複数の放射線収集装置の前記放射線収集装置出力信号から導き出される信号をそれぞれの出力素子に供給するための回路、
を有するX線検出装置であり、
　前記回路は、
各々のピクセル配置が、フォトダイオード又は電荷収集電極である１つの放射線収集装置を有し、
スイッチング配置が、１つの読出しラインへの複数のピクセル配置の接続を生じさせるようにそれぞれ動作可能な選択ラインと、検出器ピクセルのアレイの隣り合う読出しラインを接続するように動作可能なスイッチと、を有し、
各々のピクセル配置が、前記放射線収集装置の出力信号を受信し、選択ラインが活性化されると読出しラインに接続されるトランジスタを含み、
接続された隣り合う読出しラインが、前記スイッチによって少なくとも１つの出力素子に接続され、選択ラインが活性化されることにより、隣り合う読出しラインからの少なくとも２つの放射線収集装置の収集装置信号から導き出される信号が前記出力素子に供給される、Ｘ線検出装置。」 
で一致し、以下の点で相違する。 
 　 
（相違点） 
　本願発明は、「各々のピクセル配置が、前記放射線収集装置の出力信号を受信するゲートと、選択ラインが活性化されると読出しラインに接続されるソースとを備えたトランジスタを含み、」「選択ラインが活性化され、隣り合う読出しラインのペアが、それらの間の前記スイッチによって接続され、ペアの少なくとも２つの放射線収集装置の収集装置信号から導き出される信号が１つの出力素子に供給される場合に、前記ペアの一方におけるピクセルに寄生直接検出現象が生じると、前記寄生直接検出現象が生じたピクセルの前記放射線収集装置が放電して、当該放射線収集装置に接続されたトランジスタのゲート電位が低下し、それにより寄生直接検出現象が生じたピクセルのトランジスタからの出力信号は、ペアの他方におけるピクセルのトランジスタよりも前記出力素子への寄与が小さくなる」のに対し、引用発明は、「各画素の電気スイッチ３は、アドレス線４〜８に接続されたゲートと、読み出し線９〜１３に接続されたソース／ドレインとを備え、」「個々のセンサ要素が低い信号対ノイズ比の領域内では、望ましくないノイズはビニングにより（２ｘ２，３ｘ３又は、非対称の）大きな領域に亘って減少され、これにより信号対ノイズ比を高め、個々のセンサ要素が、既に高い信号対ノイズ比の領域内では、小領域（２ｘ２）にわたるビニング又は、ビニング無し（１ｘ１）が選択され、これにより高空間解像度を維持できる」ものである点。
 　 
５　当審の判断 
　以下、上記相違点について検討する。
　各ピクセル配置に放射線収集装置を有するＸ線検出装置において、リセットされると電源電圧が供給され、放射線収集装置の出力信号を受信するゲートと、選択ラインが活性化されると読出しラインに接続されるソースとを備え、放射線収集装置の出力信号が出力されると電源電圧からゲート電圧が低下して、ソースから出力される出力電圧が低下するトランジスタを設けることは、周知技術（国際公開第２００８／０１２７２３号明細書の第１５頁第１７行〜第１６頁第３行、FIG.4（source follower 313が当該トランジスタに相当。）、特開平１１−３０７７５６号公報の【００１４】〜【００１５】、図１（読取用電界効果トランジスタ２２が当該トランジスタに相当。）、特開２００３−２８２８４９号公報の【００５８】〜【００６４】、図９〜１０（ソースフォロアTr７０３が当該トランジスタに相当。）参照。）である。
　そして、各ピクセル配置に放射線収集装置を有するＸ線検出装置において、引用発明のような、アドレス線に接続されたゲートと、読み出し線に接続されたソース／ドレインとを備えた電気スイッチも、周知のものであるから、引用発明の「各画素の電気スイッチ３」に代えて、上記周知技術のトランジスタを採用することにより、引用発明の「各画素」に、リセットされると電源電圧が供給され、放射線収集装置の出力信号を受信するゲートと、選択ラインが活性化されると読出しラインに接続されるソースとを備え、放射線収集装置の出力信号が出力されると電源電圧からゲート電圧が低下して、ソースから出力される出力電圧が低下するトランジスタを設け、「選択ラインが活性化され、隣り合う読出しラインのペアが、それらの間の前記スイッチによって接続され、ペアの少なくとも２つの放射線収集装置の収集装置信号から導き出される信号が１つの出力素子に供給される場合に、前記ペアの一方におけるピクセルに寄生直接検出現象が生じると、前記寄生直接検出現象が生じたピクセルの前記放射線収集装置が放電して、当該放射線収集装置に接続されたトランジスタのゲート電位が低下し、それにより寄生直接検出現象が生じたピクセルのトランジスタからの出力信号は、ペアの他方におけるピクセルのトランジスタよりも前記出力素子への寄与が小さくなる」ようにして、上記相違点に係る本願発明の発明特定事項を構成することは、当業者が容易になし得たことである。
　上記相違点については以上のとおりであり、本願発明によってもたらされる効果は、引用発明及び周知技術から当業者が予測できる範囲内のものと認められる。
　よって、本願発明は、引用発明及び周知技術に基いて、当業者が容易に発明をすることができたものである。
　
６　むすび 
　以上のとおり、本願発明は、引用発明及び周知技術に基いて、当業者が容易に発明をすることができたものであるから、特許法第２９条第２項の規定により特許を受けることができない。
　したがって、その余の請求項に係る発明について論及するまでもなく、本願は拒絶すべきものである。
　よって、結論のとおり審決する。